(57)【要約】【課題】従来のゼムクリップの形状には、目印やフック構造、クリップ構造の、つまみ部などが無いので、書類を挟んだ場合に不都合があった。本発明は、これらの問題点を解決し、便利に使えるつまみ機能付きクリップを提供することを課題とする。【解決手段】クリップ本体上部に隣接して、つまみ部を形成し、このつまみ部をフック構造、又はクリップ構造とすることにより、この課題を解決する。【選択図】図１
2006213046.tif 000002
【特許請求の範囲】
【請求項１】
線材を所定形状に回曲してなるゼムクリップであって、線材の延長によりクリップ本体上部に突出した、つまみ部を形成したことを特徴とする、つまみ機能付きクリップ。
【請求項２】
つまみ部は同一平面上で折り返され任意のインデックスを取り付けられるように形成されたものであることを特徴とする請求項１に記載のつまみ機能付きクリッップ。
【請求項３】
つまみ部をフック構造にしたことを特徴とする請求項１又は２に記載のつまみ機能付きクリップ。
【請求項４】
つまみ部をクリップ構造にしたことを特徴とする請求項１又は２に記載のつまみ機能付きクリップ。
【発明の詳細な説明】
【技術分野】
【０００１】  本発明はゼムクリップの形状に関するものであり、従来の書類などの紙を挟むだけの簡便なクリップの使い方のほかに、クリップ本体の形状に工夫を加えることによって、クリップの機能を高め用途を広げて便利に使えるクリップにしたものである。
【背景技術】
【０００２】  従来、書類などの紙を挟む事務用品としてのゼムクリップの形状は、クリップ本体上部に突出した、つまみ部の無いクリップであった。
【発明の開示】
【発明が解決しようとする課題】
【０００３】  そのために、クリップに突出した、つまみ部がないので、次のような問題点があった。
（イ）他の書類が重なるとクリップが隠れてしまい、クリップで挟んだ書類を見つけるのが難しかった。又、書類の取り出しやクリップの抜き取りが困難であった。
（ロ）シールなどの見出しをクリップに貼ることが難しかった。
（ハ）他の部分に引っ掛ける事が難しかった。
（ニ）書類の内容や項目を書いたメモをクリップ上部に挟むことができない不都合があった。
そこで、本発明は、これらの問題点を解決し便利に使えるゼムクリップを提供することを課題とする。
【課題を解決するための手段】
【０００４】  この課題を解決するために、線材を所定形状に回曲したクリップの外側の線材を延長し、クリップ本体上部に隣接した位置に、クリップ本体と同一平面上で折り返され突出した、つまみ部を形成する。また、このつまみ部をフック構造又はクリップ構造とする。以上を特徴とするつまみ機能付きクリップである。
【発明の効果】
【０００５】（イ）  クリップを書類に挟んだ場合、クリップのつまみ部が目印となり、他の書類と重なってもクリップで挟んだ書類の所在がわかる。
（ロ）  クリップで挟んだ書類を取り出す場合、クリップのつまみ部を指でつまみ、迅速に書類を取り出すことができる。
（ハ）  書類に挟んだクリップを抜き取る場合、つまみ部を指でつまみ、迅速にクリップを抜き取ることができる。
（二）つまみ部が同一平面上で折り返されたものである場合、つまみ部を芯として両面からシールを貼り合わせることができる。そのため、書類に直接インデックスなどの粘着性のあるシールを貼るのが拒まれる場合に、つまみ部にインデックスを貼り合わせ、インデックス付きのクリップとして使用することができる。
（ホ）  つまみ部をフック構造にすることにより、クリップを針状またはレール状のものに引っ掛けることができる。
（ヘ）つまみ部をクリップ構造にすることにより、クリップに書類の内容や項目を書いた紙を挟んでインデックスとして表示することができる。この際、簡単にインデックスの交換をすることもできる。
【発明を実施するための最良の形態】
【０００６】  以下、本発明の第１実施の形態について図１〜図４を用いて説明する。図１は本発明の正面図、図２は本発明の使用状態図、図３は本発明の使用状態図、図４は本発明の使用状態図である。本発明は一本の線材よりなるクリップである。線材としては、金属、ステンレス、プラスチック等の可撓性のものである。図１に示すように内側先端部（３）から巻き返しによりクリップ本体（１）が形成され、クリップ本体と同一平面上で外側線（４）がクリップ本体上部（６）を通過してフック状に折り返されつまみ部（７）を形成し、つまみ部端は内側にリング状に巻き返されストッパー（５）となっている。【０００７】  本発明は以上の構成よりなる。
以下、本発明の使用方法について説明する。
図２は書類（８）にクリップを挟み込んで使用している状態である。この際、つまみ部（７）が上方に突出して形成されているため、書類を棚などに挟み込んだ場合、このつまみ部（７）が目安となり、クリップを利用した任意の書類を容易に見つけ出すことができる。また、クリップを外す場合、このつまみ部（７）をつまむことにより、確実にクリップをつまむことが可能となり、容易に取りはずしができるようになる。【０００８】  図３はフック状のつまみ部（７）を利用して、書類（８）を吊り下げている状態である。この際、つまみ部端にリング状のストッパー（５）が形成されているため、レール（９）に吊り下げた場合、つまみ部（７）のストッパー（５）が、すべり止めとなりクリップの落下を防止することができる。【０００９】  図４はつまみ部（７）にインデックス（１０）を貼り合わせて書類（８）に挟み込んで使用している状態である。この際、つまみ部（７）が同一平面上で折り返されて形成されているため、インデックスやシールなどを貼り合わせる場合、つまみ部（７）を芯とすることが可能となり、つまみ部（７）の両面からインデックスなどのシールを貼り合わせることができる。これにより、書類に粘着性のあるインデックスなどを直接貼るのが拒まれる場合、つまみ部（７）にインデックス（１０）を貼り合わせることによりインデックス付きクリップとして書類（８）に容易に取り付けることができる。【００１０】  また、つまみ部（７）のフック形状としては上記事例形状に限定されず、図５に示すような略ハート状のフック形状等、吊り下げる目的を果す形状であればよい。【００１１】  以下、本発明の第２実施の形態について図６〜図１０をもちいて説明する。
図６は本発明の正面図、図７は本発明の使用状態図、図８は本発明の使用状態図、図９は本発明の使用状態図、図１０は本発明の使用状態図である。本発明はつまみ部（７）をクリップ本体（１）と連結した対象形状のクリップ構造に形成したものである。【００１２】  以下、本発明の使用方法について説明する。
図７は書類（８）にクリップを挟みこんで使用している状態である。この際、つまみ部（７）がクリップ構造に形成されているため、書類の内容などを書いたカード（１２）がある場合、つまみ部（７）にカード（１２）を挟むことができ容易に内容別に書類を判別することができる。【００１３】  図８はつまみ部（７）を利用して書類（８）を吊り下げている状態である。この際、つまみ部（７）がクリップ構造に形成されているため、薄板状のものに吊り下げた場合、つまみ部（７）が薄板（１３）を挟みこむことができ、書類（８）を吊り下げることができる。【００１４】  尚、図１においてつまみ部（７）がクリップ本体と同一平面上に形成されたもので説明しているが、線材が金属、ステンレス等の場合、クリップ本体（１）とつまみ部（７）の連結部（１１）でねじったり、曲げたりすることにより、クリップ本体（１）の平面とつまみ部（７）の平面を任意の角度でずらすことも可能である。
以下、本発明の第２実施形態のつまみ部（７）に任意の角度を付けて使用する方法について説明する。【００１５】  図９は書類（８）にクリップを挟み込み、つまみ部（７）にカード（１２）を挟み使用している状態である。この際、つまみ部（７）がクリップ本体（１）と連結したクリップ構造に形成されているため、書類（８）を棚などに挟みこんだ場合、つまみ部（７）を連結部（１１）で任意の角度で、ねじることにより、つまみ部（７）に挟んだカード（１２）に任意の角度を付けることができ文字を読みやすくすることができる。【００１６】  図１０はつまみ部（７）とクリップ本体（１）の両方に書類（８）を挟み込んで使用している状態の側面図である。この際、つまみ部（７）がクリップ本体（１）と同一平面上で連結したクリップ構造に形成されているため、枚数が多い書類（８）を挟む場合、連結部（１１）を任意の角度で折り曲げることによりつまみ部（７）をクリップ本体（１）に平行に折り合わせることが出来、連結した二本のクリップに枚数の多い書類を二つに分けて挟むことができる。
【図面の簡単な説明】
【００１７】
【図１】本考案の平面図
【図２】書類を挟んだ例
【図３】書類を挟んでレールに引っ掛けた例
【図４】インデックスを貼った例
【図５】他の実施形態を示す平面図
【図６】つまみ部をクリップ構造とした平面図
【図７】つまみ部にカードを挟んだ例
【図８】書類を挟んで薄板に吊るした例
【図９】連結部をねじった例
【図１０】連結部を折り曲げた例の側面図
【符号の説明】
【００１８】１クリップ本体
２線材
３内側先端部
４外側線
５ストッパー
６本体上部
７つまみ部
８書類
９レール
１０インデックス
１１連結部
１２カード
１３薄板
【図１】
2006213046.tif 000003
【図２】
2006213046.tif 000004
【図３】
2006213046.tif 000005
【図４】
2006213046.tif 000006
【図５】
2006213046.tif 000007
【図６】
2006213046.tif 000008
【図７】
2006213046.tif 000009
【図８】
2006213046.tif 000010
【図９】
2006213046.tif 000011
【図１０】
2006213046.tif 000012